(57)【要約】【課題】背面板の配線群通し孔から内部へパチンコ球が入り込む恐れがなく、それだけ安全なパチンコ遊技機用表示器を提供する。【解決手段】背面板７２の配線群通し孔７２１が配線群４の挿通を許すが、パチンコ玉Ｂの通過を許さないように形成されているパチンコ遊技機用表示器Ａ。【選択図】図３
2008104519.tif 000002
【特許請求の範囲】
【請求項１】
パチンコ遊技場におけるパチンコ遊技機群を設置した島の該各パチンコ遊技機に対応させて該島に背面板を向けて取り付けられ、該背面板に配線群通し孔が形成されている、該パチンコ遊技機に関する情報を表示するためのパチンコ遊技機用表示器であり、前記背面板の配線群通し孔が該配線群の挿通を許すが、パチンコ玉の通過を許さないように形成されていることを特徴とするパチンコ遊技機用表示器。
【請求項２】
パチンコ遊技場におけるパチンコ遊技機群を設置した島の該各パチンコ遊技機に対応させて該島に背面板を向けて取付け台板を介して取り付けられ、該背面板及び取付け台板のそれぞれに配線群通し孔が形成されている、該パチンコ遊技機に関する情報を表示するためのパチンコ遊技機用表示器であり、該背面板及び取付け台板のそれぞれの配線群通し孔のうち少なくとも一方の配線群通し孔が該配線群の挿通を許すが、パチンコ玉の通過を許さないように形成されていることを特徴とするパチンコ遊技機用表示器。
【発明の詳細な説明】
【技術分野】
【０００１】
本発明はパチンコ遊技場におけるパチンコ遊技機群を設置した島の該各パチンコ遊技機に対応させて該島に取り付けられ、該パチンコ遊技機に関する情報を表示するためのパチンコ遊技機用表示器に関する。
【背景技術】
【０００２】
パチンコ遊技場においては、通常、図８に例示するように、複数のパチンコ遊技機１を設置した島２の各パチンコ遊技機１に対応させて該島にパチンコ遊技機用表示器３が取り付けられる。表示器３は一般的にはナンバランプ等と通称されている。
【０００３】
表示器３は、対応するパチンコ遊技機１に関する各種情報を表示するためのものであり、例えば、トラブル等が生じたときに遊技者が店員を呼び出すための呼び出しスイッチの他、遊技機等に関する各種情報（例えば、その遊技機における大当たり、大当たり回数、各種履歴、不正行為等）を表示する表示部及び該表示部の動作を制御する制御基板等を備えている。
【０００４】
表示器３は、通常、図９に例示するように、背面板３１に該表示器のための配線群４を挿通するための配線群通し孔３１１を有している。配線群４は、表示器３への給電線、各種信号の送信、受信のための線等からなる。
【０００５】
島２への取付けは、通常、図１０に例示するように、背面板３１を島２に向けて、島２の前板２１に、該前板の配線群通し窓２１１に背面板３１の配線群通し孔３１１を対応させて、背面板３１で取り付けられる。さらに言えば、表示器３の場合であれば、表示器３のカバー３２が一旦外され、背面板３１がそれに設けられた螺子通し孔３１２、３１３を用いて島２にネジ留めされ、カバー３２が再装着される。
【０００６】
また、図１１に示すように、表示器取付け台板５を先に島２の前板２１に取り付けておき、この台板５を介して表示器３をその背面板３１で島２に取り付けることもある。この場合、台板５にも配線群通し孔５１が形成されており、台板５はその孔５１を島の前板２１の窓２１１に対応させて前板２１に取り付けられ、表示器３はその背面板３１の孔３１１を台板５の孔５１に対応させて台板５に取り付けられる。
【０００７】
以上、図９に示す表示器を例に取って説明したが、一般に、パチンコ遊技機用表示器は、例えば意匠登録第９５８２４２号公報等にも示されているように、背面板を有し、該背面板には配線群通し孔が形成されている。
【０００８】
【特許文献１】意匠登録第９５８２４２号公報
【発明の開示】
【発明が解決しようとする課題】
【０００９】
ところが、パチンコ遊技機用表示器の背面板に形成された配線群通し孔や、取付け台板を採用する場合の該取付け台板の配線群通し孔は、人目につかない、或いは人目につきにくい部品であることや、配線の容易性等のために大きく余裕をもって形成されてきた。そのため、配線群を挿通させた状態でもなおパチンコ玉が通過できる空隙が残される。可能性としては殆ど無いに等しいと考えられるものの、該空隙からパチンコ球が表示器３内へ入り込むことがあるかもしれない。
【００１０】
島には、図８、図１０及び図１１に例示するように、各パチンコ遊技機１に配球するための樋６が架設されており、該樋を伝って各パチンコ遊技機１に配球されるようになっている。このような状態では、例えば、樋６から飛び跳ねたパチンコ球Ｂが、たまたま表示器１の配線群４を伝って、図１０に示すように背面板３の孔３１から、或いは、図１１に示すように取付け台板５の孔５１及び背面板３の孔３１から表示器３内へ入り込むことがあるかもしれない。
【００１１】
もし、パチンコ球Ｂが表示器３内へ入り込むと、表示器３の動作不良を引き起こすかもしれない。
【００１２】
そこで本発明は、パチンコ遊技場におけるパチンコ遊技機群を設置した島の該各パチンコ遊技機に対応させて該島に背面板を向けて取り付けられ、該背面板に配線群通し孔が形成されている、該パチンコ遊技機に関する情報を表示するためのパチンコ遊技機用表示器であって、背面板の配線群通し孔から内部へパチンコ球が入り込む恐れがなく、それだけ安全なパチンコ遊技機用表示器を提供することを課題とする。
【００１３】
ここで「島に背面板を向けて取り付けられ」とは、「島に背面板を向けて該背面板で直接的に島に取り付けられる」場合、「島に背面板を向けて、該背面板で取付け台板を介して島に取り付けられる」場合のいずれも指しており、要するに、背面板の配線群通し孔から内部へパチンコ球が入り込む恐れがなく、それだけ安全なパチンコ遊技機用表示器を提供することが本発明の課題である。
【課題を解決するための手段】
【００１４】
前記課題を解決するため本発明は、次の第１、第２のパチンコ遊技機用表示器を提供する。以下の第１、第２のパチンコ遊技機用表示器は、パチンコ遊技機用表示器のための配線群通し孔からパチンコ球が表示器内へ入り込まないように、該孔が形成されている点で共通のものである。
【００１５】
（１）第１のパチンコ遊技機用表示器
パチンコ遊技場におけるパチンコ遊技機群を設置した島の該各パチンコ遊技機に対応させて該島に背面板を向けて取り付けられ、該背面板に配線群通し孔が形成されている、該パチンコ遊技機に関する情報を表示するためのパチンコ遊技機用表示器であり、前記背面板の配線群通し孔が該配線群の挿通を許すが、パチンコ玉の通過を許さないように形成されているパチンコ遊技機用表示器。
【００１６】
（２）第２のパチンコ遊技機用表示器
パチンコ遊技場におけるパチンコ遊技機群を設置した島の該各パチンコ遊技機に対応させて該島に背面板を向けて取付け台板を介して取り付けられ、該背面板及び取付け台板のそれぞれに配線群通し孔が形成されている、該パチンコ遊技機に関する情報を表示するためのパチンコ遊技機用表示器であり、該背面板及び取付け台板のそれぞれの配線群通し孔のうち少なくとも一方の配線群通し孔が該配線群の挿通を許すが、パチンコ玉の通過を許さないように形成されているパチンコ遊技機用表示器。
【００１７】
第１の表示器では、表示器の背面板の配線群通し孔が該配線群の挿通を許すが、パチンコ玉の通過を許さないように形成されているので、該表示器を該背面板で島に取り付けても、配線群通し孔を利用した配線に支障はなく、また、該孔から表示器内へパチンコ玉が入り込む恐れがなく、それだけ安全である。
【００１８】
第２の表示器では、表示器の背面板の配線群通し孔及び取付け台板の配線群通し孔のうち少なくとも一方の配線群通し孔が該配線群の挿通を許すが、パチンコ玉の通過を許さないように形成されているので、該表示器を背面板で取付け台板を介して島に取り付けても、該背面板及び取付け台板の配線群通し孔を利用した配線に支障はなく、また、背面板の配線群通し孔から表示器内へパチンコ玉が入り込む恐れがなく、それだけ安全である。
【発明の効果】
【００１９】
以上説明したように本発明によると、パチンコ遊技場におけるパチンコ遊技機群を設置した島の該各パチンコ遊技機に対応させて該島に背面板を向けて取り付けられ、該背面板に配線群通し孔が形成されている、該パチンコ遊技機に関する情報を表示するためのパチンコ遊技機用表示器であって、背面板の配線群通し孔から内部へパチンコ球が入り込む恐れがなく、それだけ安全なパチンコ遊技機用表示器を提供することができる。
【発明を実施するための最良の形態】
【００２０】
以下本発明に係るパチンコ遊技機用表示器の１例について図１から図４を参照して、他の例について図５から図７を参照して説明する。
【００２１】
図１から図４に示すパチンコ遊技機用表示器７は、従来の表示器と同様に外観を構成するカバー７１及び背面板７２を含んでおり、内部には、パチンコ遊技機１に関する各種情報（例えば、その遊技機における大当たり、大当たり回数、各種履歴、不正行為等）を表示する表示部及び該表示部の動作を制御する制御基板等（図示省略）を従来表示器と同様に備えている。また、図示を省略しているが、従来表示器と同様にトラブル等が生じたときに遊技者が店員を呼び出すための、カバー外部から操作できる呼び出しスイッチも設けられている。
【００２２】
背面板７２の中央部には、配線群４（図４参照）を挿通するための孔７２１が形成されている（図３において梨子地模様を施してある部分）。ここで配線群４とは、表示器７へ給電するための線、各種信号の送信や受信のための線等からなる線群である。背面板７２には、ネジ通し孔７２２、７２３等も形成されている。
【００２３】
孔７２１は、配線群４を挿通できるように上下方向に長く延びたものであるが、その幅ａはパチンコ球径（通常１１ｍｍ）より小さい。従って、この孔７２１は配線群４の挿通は可能であるが、パチンコ球Ｂが通過することはできないものである。
【００２４】
この表示器７は、例えば図４に示すように、パチンコ遊技機１を設置した島２の前板２１に取り付け使用できる。
図４に示す示す例では、取付け台板５’が島の前板２１に図示省略のネジ留め等により予め取り付けられ、表示器７本体は、この取付け台板５’に背面板７２をそのネジ通し孔７２２、７２３を用いてネジ留めすることで、該取付け台板５’を介して島２に取り付けられる。
【００２５】
取付け台板５’は配線群４を通す孔５１’を備えており、この孔５１’を島の前板２１の配線群通し窓２１１に対応させて前板２１に取り付けられる。
表示器７の背面板７２は、その配線群通し孔７２１を取付け台板５’の孔５１’に対応させて取付け台板５’に取り付けられる。
【００２６】
以上説明した表示器７によると、背面板７２の配線群通し孔７２１が配線群４の挿通を許すが、パチンコ玉Ｂの通過を許さない形状、寸法に形成されているので、配線群通し孔７２１を利用した配線に支障はなく、また、該孔７２１から表示器７内へパチンコ玉が入り込む恐れがなく、それだけ安全である。
【００２７】
なお、表示器７は、取付け台板５’を用いずに直接島２に取り付けてもよく、そうしても、背面板孔７２１から表示器７内へパチンコ球Ｂが入り込む恐れはない。
【００２８】
表示器背面板７２の配線群通し孔７２１をパチンコ球Ｂの通過を許さないように形成することに代えて、或いは、配線群通し孔７２１をパチンコ球Ｂの通過を許さないように形成するとともに、取付け台板５’の配線群通し孔５１’も配線群４の挿通を許すが、パチンコ球Ｂの通過を許さないように形成してもよい。いずれにしても、背面板孔７２１から表示器７内へパチンコ球Ｂが入り込む恐れはない。
【００２９】
図５から図７に示すパチンコ遊技機用表示器８は、これも従来の表示器と同様に外観を構成するカバー８１及び背面板８２を含んでおり、内部には、パチンコ遊技機１に関する各種情報（例えば、遊技機における大当たり、大当たり回数、各種履歴、不正行為等）を表示する表示部及び該表示部の動作を制御する制御基板等（図示省略）を従来表示器と同様に備えている。また、図示を省略しているが、従来表示器と同様にトラブル等が生じたときに遊技者が店員を呼び出すための、カバー外部から操作できる呼び出しスイッチも設けられている。
【００３０】
背面板８２の中央部には、配線群４（図４参照）を挿通するための孔８２１が形成されている（図７において梨子地模様を施してある部分）。背面板８２には、ネジ通し孔８２２、８２３等も形成されている。
【００３１】
孔８２１は、配線群４を挿通できるように上下方向に長く延びるとともに上部で二股状を呈しているものであるが、各部の幅ｂ、ｃ、ｄ等はパチンコ球径より小さい。従って、この孔８２１は配線群４の挿通は可能であるが、パチンコ球Ｂが通過することはできないものである。
【００３２】
この表示器８も、表示器７の場合と同様に、取付け台板５’を介して、或いは直接に島２の前板２１に取付け、使用することができる。
この表示器８においても、背面板８２の配線群通し孔８２１が配線群４の挿通を許すが、パチンコ玉Ｂの通過を許さない形状、寸法に形成されているので、配線群通し孔８２１を利用した配線に支障はなく、また、孔８２１から表示器８内へパチンコ玉が入り込む恐れがなく、それだけ安全である。
【産業上の利用可能性】
【００３３】
本発明はパチンコ遊技機に関する各種情報を表示するパチンコ遊技機用表示器であって、背面板の配線群通し孔から内部へパチンコ球が入り込む恐れのない安全な表示器を提供することに利用できる。
【図面の簡単な説明】
【００３４】
【図１】本発明に係るパチンコ遊技機用表示器の１例の正面図である。
【図２】図１の表示器の側面図である。
【図３】図１の表示器の配線群を省略した背面図である。
【図４】図１の表示器の島への取付け例を示す図である。
【図５】本発明に係るパチンコ遊技機用表示器の他の例の正面図である。
【図６】図５の表示器の側面図である。
【図７】図５の表示器の配線群を省略した背面図である。
【図８】遊技場におけるパチンコ遊技機を設置した島の例を示す図である。
【図９】従来のパチンコ遊技機用表示器例の背面図である。
【図１０】図９に示す表示器の島への取付け例を示す図である。
【図１１】図９に示す表示器の島への取り付けの他の例を示す図である。
【符号の説明】
【００３５】
１  パチンコ遊技機
２  島
２１  島の前板
Ａ、Ｂ    パチンコ遊技機用表示器
７１、８１  カバー
７２、８２  背面板
７２１、８２１  背面板の配線群通し孔
７２２、７２３、８２２、８２３  ネジ通し孔
４  配線群
５’取付け台板
５１’台板の配線群通し孔
Ｂ  パチンコ球
６  配球樋
３  表示器の従来例
３１  背面板
３１２、３１２  ネジ通し孔
３２  カバー
５  取付け台板
５１  台板の配線群通し孔
【図１】
2008104519.tif 000003
【図２】
2008104519.tif 000004
【図３】
2008104519.tif 000005
【図４】
2008104519.tif 000006
【図５】
2008104519.tif 000007
【図６】
2008104519.tif 000008
【図７】
2008104519.tif 000009
【図８】
2008104519.tif 000010
【図９】
2008104519.tif 000011
【図１０】
2008104519.tif 000012
【図１１】
2008104519.tif 000013